(57)【要約】【課題】表示パネルから伸びる電源線や信号線等の配線が露出しないようにして、見栄えを向上させると共に、連結部材に絡み付いたり、連結部材とパネル固定部や壁固定部材との間に挟まったりする惧れのない表示パネル支持装置を提供する。【解決手段】壁面Ｗに固定される壁固定部材１と、表示パネルＰが固定されるパネル固定部２と、壁固定部材１とパネル固定部２とを連結する連結部材３と、で主体が構成される。連結部材３の両方の側端部に被枢支部４が設けられる。壁固定部材１とパネル固定部２とにそれぞれ連結部材３に設けられた被枢支部４を枢支する枢支部５が設けられる。連結部材３の両側の枢支部５間にかけて配置される連結部材側カバー７１と、パネル固定部２の枢支部５から離れた部分から該枢支部５にかけて配置されるパネル側カバー７２とを備え、連結部材側カバー７１とパネル側カバー７２とは、連通口７０を介して内部が連通する。【選択図】        図１
2010166182.tif 000002
【特許請求の範囲】
【請求項１】
壁面に固定される壁固定部材と、表示パネルが固定されるパネル固定部と、壁固定部材とパネル固定部とを連結する連結部材と、で主体が構成され、連結部材の両方の側端部に被枢支部が設けられ、壁固定部材とパネル固定部とにそれぞれ連結部材に設けられた被枢支部を枢支する枢支部が設けられ、連結部材の両被枢支部がそれぞれ壁固定部材の枢支部とパネル固定部の枢支部とに枢支される表示パネル装置において、連結部材の両側の枢支部間にかけて配置される連結部材側カバーが連結部材に固定され、パネル固定部の枢支部から離れた部分から該枢支部にかけて配置されるパネル側カバーがパネル固定部に固定され、連結部材側カバーとパネル側カバーとは、パネル固定部の枢支部に枢支される連結部材の被枢支部の回動中心線上において互いに対向するように形成された連通口を介して内部が連通することを特徴とする表示パネル支持装置。
【請求項２】
壁固定部材の枢支部から離れた部分から枢支部にかけて配置される壁側カバーが壁固定部材に固定され、壁側カバーと連結部材側カバーとは、壁固定部材の枢支部に枢支される連結部材の被枢支部の回動中心線上において互いに対向するように形成された連通口を介して内部が連通することを特徴とする請求項１記載の表示パネル支持装置。
【発明の詳細な説明】
【技術分野】
【０００１】
本発明は、液晶テレビやプラズマテレビ等の平面状の表示パネルを支持する装置に関するものである。
【背景技術】
【０００２】
近年、液晶テレビやプラズマテレビ等の平面状の表示パネルが普及してきている。このような表示パネルは、専用の支柱や支持脚を付設し、床上に直接又はテレビ台等のラック上に載せて設置したり、壁に金具で掛け止めしたりして、壁面に沿わせて設置するなどして使用されている。壁面に沿わせての設置形態として、利用者が使う時等に、壁面から前方へ突出させて使用するといった使用形態が提案されている（例えば特許文献１参照）。
【０００３】
特許文献１には、壁面に固定される壁固定部材（特許文献１中のベース部４）と、表示パネル（テレビ本体１）が固定されるパネル固定部（ブラケット２）と、壁固定部材とパネル固定部とを丁番を介して連結する連結部材（アーム部３）と、からなる表示パネル支持装置が開示されている。
【０００４】
連結部材は、その両端部それぞれ壁固定部材とパネル固定部とに枢支され、表示パネルを壁面に沿わせたり、連結部材を壁固定部材に対して回動させて表示パネルを壁面から任意に突出させたりすることができる。
【先行技術文献】
【特許文献】
【０００５】
【特許文献１】特開２００７−１３２４１号公報
【発明の概要】
【発明が解決しようとする課題】
【０００６】
ところで上記特許文献１に示される従来例においては、表示パネルから伸びる電源線や信号線等の配線は、壁面に沿った電源コンセントや、壁面に沿って設置されたビデオ等の電機機器に接続する必要があり、表示パネルと壁面との間に露出してしまい、見栄えが悪いと共に、連結部材に絡み付いたり、連結部材とパネル固定部や壁固定部材との間に挟まったりする惧れがあり、安全性が低いものであった。
【０００７】
本発明は上記従来の問題点に鑑みて発明したものであって、その目的とするところは、表示パネルから伸びる電源線や信号線等の配線が露出しないようにして、見栄えを向上させると共に、連結部材に絡み付いたり、連結部材とパネル固定部や壁固定部材との間に挟まったりする惧れのない表示パネル支持装置を提供することを課題とするものである。
【課題を解決するための手段】
【０００８】
上記課題を解決するために、本発明は、以下のような構成とする。
【０００９】
請求項１に係る表示パネル支持装置にあっては、壁面Ｗに固定される壁固定部材１と、表示パネルＰが固定されるパネル固定部２と、壁固定部材１とパネル固定部２とを連結する連結部材３と、で主体が構成される。連結部材３の両方の側端部に被枢支部４が設けられる。壁固定部材１とパネル固定部２とにそれぞれ連結部材３に設けられた被枢支部４を枢支する枢支部５が設けられる。連結部材３の両枢支部５がそれぞれ壁固定部材１の枢支部５とパネル固定部２の枢支部５とに枢支される表示パネルＰである。連結部材３の両側の枢支部５間にかけて配置される連結部材側カバー７１が連結部材３に固定され、パネル固定部２の枢支部５から離れた部分から該枢支部５にかけて配置されるパネル側カバー７２がパネル固定部２に固定され、連結部材側カバー７１とパネル側カバー７２とは、パネル固定部２の枢支部５に枢支される連結部材３の被枢支部４の回動中心線上において互いに対向するように形成された連通口７０を介して内部が連通することに特徴を有する。
【００１０】
請求項２に係る発明にあっては、請求項１に係る発明において、壁固定部材１の枢支部５から離れた部分から該枢支部５にかけて配置される壁側カバー７３が壁固定部材１に固定され、連結部材側カバー７１と壁側カバー７３とは、壁固定部材１の枢支部５に枢支される連結部材３の被枢支部４の回動中心線上において互いに対向するように形成された連通口７０を介して内部が連通することに特徴を有する。
【発明の効果】
【００１１】
請求項１に係る発明にあっては、表示パネルからの配線を壁面に導くにあたり、配線カバー（パネル側カバーと連結部材側カバー）の内部に収容することで配線が露出しないようにできて、見栄えを向上させると共に、連結部材に絡み付いたり、連結部材と壁固定部材との間に挟まったりするのが防止される。
【００１２】
請求項２に係る発明にあっては、連結部材と壁固定部材との間に挟まったりするのが防止され、より一層安全性が高まる。
【図面の簡単な説明】
【００１３】
【図１】本発明の一実施形態を示し、（ａ）は表示パネルを壁面に対して傾けた状態を斜め上方より見た斜視図であり、（ｂ）は（ａ）の配線カバーの分解斜視図である。
【図２】（ａ）は同上の側断面図であり、（ｂ）は（ａ）の壁側の要部拡大図であり、（ｃ）は（ａ）のパネル側の要部拡大図である。
【図３】同上の全体図であり、前斜め上方より見た斜視図である。
【図４】同上の後斜め上方より見た斜視図である。
【図５】同上の前斜め上方より見た分解斜視図である。
【図６】同上の後斜め上方より見た分解斜視図である。
【図７】表示パネルを壁面に沿わせた状態を示し、（ａ）は前斜め上方より見た斜視図であり、（ｂ）は平面図である。
【図８】（ａ）は表示パネルを壁面と平行に壁面より突出させた状態の平面図であり、（ｂ）は表示パネルを壁面に対して傾けた状態の平面図である。
【図９】表示パネルを壁面に対して図８の場合と逆に傾けた状態を示し、（ａ）は前斜め上方より見た斜視図であり、（ｂ）は平面図である。
【発明を実施するための形態】
【００１４】
以下、本発明の一実施形態について添付図面に基づいて説明する。
【００１５】
表示パネル支持装置は、図３乃至図６に示すように、壁固定部材１と、パネル固定部２と、壁固定部材１とパネル固定部２とを連結する連結部材３と、で主体が構成される。
【００１６】
壁固定部材１は、部屋の壁面Ｗに固定されると共に、連結部材３の横方向の一方の側端部が枢支されるもので、本実施形態では、部屋の壁面Ｗに固定されるベースプレート１１と、ベースプレート１１に固定されるメインプレート１２及びサブプレート１３で構成される。
【００１７】
ベースプレート１１は、正面視略矩形状をしたＳＵＳ等の金属からなる板で、一方の面が部屋の壁面Ｗに沿うように該壁面Ｗに固定される。ここでベースプレート１１は、部屋の壁面Ｗの方を向く前記一方の面を背面とすると共に、部屋内を向く他方の面を前面とし、メインプレート１２及びサブプレート１３についても同様とする。また図３に示すように、部屋内の方（矢印Ｆ）を前方とすると共に壁面Ｗの方（矢印Ｂ）を後方とし、後方を向いた時に壁面Ｗに沿う横方向を左右方向（矢印Ｌが左、矢印Ｒが右）とする。
【００１８】
ベースプレート１１の壁面Ｗへの固定は、ベースプレート１１に穿設された固着具挿通孔１１ａを介してビス等の固着具（図示せず）を壁面Ｗに螺着させることで行う。固着具挿通孔１１ａは、本実施形態では図５、図６に示すように、左右方向に長い多数の長孔として形成され、これにより、壁面Ｗの所望の位置に固定する際に固定し易くなる。ベースプレート１１には、メインプレート１２及びサブプレート１３が固定される。
【００１９】
メインプレート１２及びサブプレート１３は、正面視略矩形状をしたＳＵＳ等の金属からなる板で、その背面がベースプレート１１の前面に沿うように該ベースプレート１１に固定される。メインプレート１２及びサブプレート１３には、ベースプレート１１への固定部として、上部と下部にそれぞれ上固定部１５と下固定部１６とが設けてある。
【００２０】
上固定部１５は、図６に示すように、メインプレート１２及びサブプレート１３の上端縁から後方に向けて設けられる、横片１５ａ及び該横片１５ａの後端より下方に連設される縦片１５ｂからなる略逆Ｌ字状をしたもので、縦片１５ｂとメインプレート１２又はサブプレート１３の背面との間に、下方及び側方に開口する係止溝１５ｃが形成される。
【００２１】
下固定部１６は、メインプレート１２及びサブプレート１３の背面の下端部近傍に設けられるもので、固定孔が穿設された下固定片１６ａと、下固定片１６ａと背面とを連結する連結片１６ｂとで構成される。連結片１６ｂは、背面に固定される中央片とその左右両端から後方に連設される連設片とからなる略コ字状をしており、連設片の先端から左右両側に下固定片１６ａが連設され、連結片１６ｂ及び下固定片１６ａでハット型となっている。
【００２２】
メインプレート１２及びサブプレート１３は、上固定部１５の係止溝１５ｃにベースプレート１１の上端縁を挿入させて係止させる。ベースプレート１１には、図６に示すように、メインプレート１２及びサブプレート１３の下固定部１６の固定孔に対応する位置に固着具挿通孔１１ｂが穿設してあり、上記のように係止溝１５ｃにベースプレート１１の上端縁が係止した状態で、ビス等の固着具（図示せず）を固着具挿通孔１１ｂを介して下固定部１６の固定孔に螺着することでメインプレート１２及びサブプレート１３が固定される。
【００２３】
メインプレート１２とサブプレート１３とは、ベースプレート１１に横方向に間隔をあけて又は隙間なく並べて固定されるが、その固定位置は任意に設定可能であり、またいずれを左又は右に位置させるかも任意に設定可能である。本実施形態では、図３に示すように、メインプレート１２が左側、サブプレート１３が右側に位置するように固定される。
【００２４】
メインプレート１２及びサブプレート１３の前面には、連結部材３の一方の側端部が枢支される枢支部５（５１、５２）が設けられる。連結部材３は、第１の連結部材と第２の連結部材の二つの部材からなるもので、以下、第１の連結部材をメインアーム３１、第２の連結部材をサブアーム３２として説明する。
【００２５】
メインアーム３１及びサブアーム３２は、横方向に所定の長さを有するもので、本実施形態では四辺が上下左右を向く略矩形枠状に形成してある。本実施形態では第１の連結部材及び第２の連結部材をメインアーム３１及びサブアーム３２としているが、連結部材３は板状や棒状等、形状は特に限定されないものであり、また第１の連結部材と第２の連結部材とで前記所定の長さや形状が異なっていてもよい。メインアーム３１及びサブアーム３２の左右両方の側端部には、上下方向を中心軸としてメインアーム３１及びサブアーム３２を回動させる被枢支部４が設けられるもので、本実施形態では被枢支部４として、メインアーム３１及びサブアーム３２の両方の側端部の上下端部に枢支軸４１がそれぞれ上下に向けて突設してある。
【００２６】
メインアーム３１及びサブアーム３２の一方の側端部の枢支軸４１ａは、それぞれ上記メインプレート１２及びサブプレート１３の枢支部５（５１、５２）に枢支されるもので、本実施形態では枢支部５側が軸受となっているが、枢支部５側が枢支軸であり且つ被枢支部４側が軸受であってもよい。
【００２７】
メインプレート１２の枢支部５１は、軸受ブラケット５１ａの内部に形成される軸受であり、メインアーム３１の上下長さと略同じかそれより若干長い間隔をあけて、上下に二つの軸受ブラケット５１ａがメインプレート１２の前面に固定される。上側の軸受ブラケット５１ａの軸受にメインアーム３１の一方の側端部の上側の枢支軸４１ａが下方より挿入され、下側の軸受ブラケット５１ａの軸受にメインアーム３１の一方の側端部の下側の枢支軸４１ａが上方より挿入され、前記枢支軸４１ａを中心としてメインアーム３１が回動自在に枢支される。
【００２８】
サブプレート１３の枢支部５２は、ローラ６１の内部に形成される軸受であり、ローラ６１はガイドレール６２内を移動自在となっている。ガイドレール６２は、上方又は下方に開口するガイド溝６３を有する断面略コ字状をしたもので、ローラ６１はその円周側面が側方を向くようにガイド溝６３に収容される。ガイド溝６３の長手方向すなわちローラ６１の移動方向となる左右方向の両端部には、ローラ６１の移動を規制するストッパー（図示せず）が設けてある。サブプレート１３の前面に、二つのガイドレール６２がその開口が互いに対向するように、サブアーム３２の上下長さと略同じかそれより若干長い間隔をあけて固定される。そして、上側のガイドレール６２内に、サブアーム３２の一方の側端部の上側の枢支軸４１ａが挿入されたローラ６１が移動自在に挿入され、下側のガイドレール６２内に、サブアーム３２の一方の側端部の下側の枢支軸４１ａが挿入されたローラ６１が移動自在に挿入され、前記枢支軸４１ａを中心としてサブアーム３２が回動自在に枢支されると共に、枢支軸４１ａとともにローラ６１がガイドレール６２に沿って移動する。すなわち、ローラ６１とガイドレール６２とで、壁固定部材１に沿って枢支部５を横方向に移動させる枢支部移動手段６が構成される。
【００２９】
メインアーム３１及びサブアーム３２の他方の側端部の枢支軸４１ｂは、パネル固定部２側の枢支部５３に枢支される。この枢支部５３は、軸受ブラケット５３ａの内部に形成される軸受からなり、軸受ブラケット５３ａは上下に二つ設けられるのであるが、各軸受ブラケット５３ａはそれぞれ軸受を二つ有していて、一方がメインアーム３１の他方の側端部の上下の枢支軸４１ｂが挿入される軸受となり、他方がサブアーム３２の他方の側端部の上下の枢支軸４１ｂが挿入される軸受となる。
【００３０】
パネル固定部２は、液晶テレビやプラズマテレビ等の平面状の表示パネルＰに固定されるもので、表示パネルＰとは別体の部材か、あるいは表示パネルＰと一体に形成されるものであり、本実施形態では、図４乃至図６に示すように表示パネルＰとは別体のパネル固定部材２ａとなっている。なお表示パネルＰとしては、前述した液晶テレビ、プラズマテレビや、コンピュータの出力画面等のディスプレイであって、いわゆる薄型のものが好適に挙げられるが、これらに限定されず、絵画や発光しないパネル等、様々なものが挙げられる。
【００３１】
パネル固定部材２ａは、前面が表示パネルＰの背面に固定されると共に、背面に上記枢支部５３が固定される部材で、本実施形態では、断面略ロ字状の角材からなる上枠２１及び下枠２２と、断面略コ字状にして強度を増した左枠２３及び右枠２４を略矩形状に枠組みしたものである。
【００３２】
パネル固定部材２ａの前面には、表示パネルＰを支持固定するための支持固定部が設けられると共に、表示パネルＰの背面には、前記支持固定部に支持固定される被支持固定部が設けられる。本実施形態では支持固定部として、図６に示すように、パネル固定部材２ａの左枠２３及び右枠２４の上下２箇所ずつ計４箇所に、大径の上穴と小径の下穴とが連通してなる所謂だるま穴２５が形成してあり、被支持固定部として、表示パネルＰの前記だるま穴２５に対応する４箇所に、突出基部の径が前記下穴より小さく、突出先端部の径が上穴より小さく下穴より大きい突出部２６が形成してある。表示パネルＰをパネル固定部材２ａに支持固定させるには、表示パネルＰの突出部２６の突出先端部をそれぞれ前方よりパネル固定部材２ａのだるま穴２５の上穴に挿通させ、上穴を挿通している突出基部を下穴に移動させることで、突出基部が下穴の下端縁上に載置されて支持されると共に、下穴の径よりも大きい突出先端部により抜け止めがなされて固定される。
【００３３】
なお、図中の符号ＫＰは化粧パネルであり、符号Ｒはラックであり、符号Ｌは枢支部５における被枢支部４の回動を規制するためのレバーである。
【００３４】
そして本発明では、表示パネルＰから伸びる電源線や信号線等の配線Ｃを、壁面Ｗに沿った電源コンセント（図示せず）や、壁面Ｗに沿って設置されたビデオ等の電機機器（図示せず）に接続するために壁面Ｗに導くにあたり、配線Ｃが露出しないようにする配線カバー７を配設するものである。
【００３５】
配線カバー７は、図１及び図２に示すように、少なくとも連結部材側カバー７１とパネル側カバー７２とからなり、本実施形態では更に壁側カバー７３とからなる。
【００３６】
連結部材側カバー７１は、両側端部が閉塞された略筒状をしたもので、両側端部はそれぞれ被枢支部４の下方に位置している。本実施形態では中間部が上方に曲がった形状となっていて、その上方に曲がった中間部が連結部材３（メインアーム３１及び／又はサブアーム３２）の下端の中間部に固定される。そして、両側端部の被枢支部４の回動中心線上において、下方に開口する連通口７０が形成してある。
【００３７】
パネル側カバー７２は、両端が閉塞された略筒状をしたもので、一端がパネル固定部２の枢支部５３に枢支される連結部材３の被枢支部４の回動中心線上であって、上記連結部材側カバー７１の下側に位置しており、他端が、該枢支部５３から離れた部分に至るように配設され、パネル固定部２に固定される。このパネル側カバー７２の他端は、表示パネルＰから配線Ｃが伸びる部分の近傍に位置するように取付けられるのが好ましい。このパネル側カバー７２の一端には上方に開口する連通口７０が形成してあり、連結部材側カバー７１の連通口７０と対向して且つ近接させて配置して、該連通口７０を介して連結部材側カバー７１とパネル側カバー７２の内部が互いに連通している。また他端には、配線Ｃが挿通される配線挿通口（図示せず）が形成される。
【００３８】
また、壁側カバー７３は、両端が閉塞された略筒状をしたもので、一端が壁固定部材１の枢支部５１に枢支される連結部材３の被枢支部４の回動中心線上であって、上記連結部材側カバー７１の下側に位置しており、他端が、該枢支部５１から離れた部分に至るように配設され、壁固定部材１に固定される。この壁側カバー７３の一端には上方に開口する連通口７０が形成してあり、連結部材側カバー７１の連通口７０と対向して且つ近接させて配置して、該連通口７０を介して連結部材側カバー７１と壁側カバー７３の内部が互いに連通している。また他端には、配線Ｃが挿通される配線挿通口（図示せず）が形成される。
【００３９】
そして表示パネルＰから伸びる配線Ｃは、パネル側カバー７２の配線挿通口よりパネル側カバー７２内に入り、連通口７０から導出されて連結部材側カバー７１の連通口７０より連結部材側カバー７１内に入り、連通口７０から導出されて壁側カバー７３の連通口７０より壁側カバー７３内に入り、壁側カバー７３の配線挿通口から出て電源コンセントや電器機器に接続される。
【００４０】
これにより、配線Ｃが配線カバー７内に収容されて露出しないため、見栄えが向上する。パネル側カバー７２の連通口７０と連結部材側カバー７１の一方の連通口７０、連結部材側カバー７１の他方の連通口７０と壁側カバー７３の他方の連通口７０は、互いに対向して且つ近接させているため、配線Ｃの一配線カバー７から別の配線カバー７に至る部分は殆ど露出しない。
【００４１】
また、配線Ｃが連結部材３に絡み付いたり、連結部材３と壁固定部材２との間や連結部材３とパネル固定部２との間に挟まったりするのが防止される。
【００４２】
上述した表示パネルＰ支持装置の動作について説明する。
【００４３】
図７に示すように、表示パネルＰを壁面Ｗに沿わせた収納状態とするには、表示パネルＰの左右の両側端ともに壁面Ｗに近接させていくことで、メインアーム３１が壁面Ｗに対して寝かされていくと共に（すなわち壁面Ｗとメインアーム３１の横方向とのなす角が小さくなり）、表示パネルＰも壁面Ｗと平行になっていき、この時メインアーム３１の一方の側端部の被枢支部４はメインプレート１２の枢支部５１を中心に、他方の側端部の被枢支部４はパネル固定部材２ａの枢支部５３を中心に回動する。そしてサブアーム３２も壁面Ｗに対して寝かされていき、この時サブアーム３２は他方の側端部の被枢支部４がパネル固定部材２ａの枢支部５３を中心に回動し、一方の側端部の被枢支部４は、ローラ６１の枢支部５２を中心に回動すると共にローラ６１と一緒にガイドレール６２を移動していく。最終的にはメインアーム３１及びサブアーム３２が壁面Ｗと平行になると共に表示パネルＰも壁面Ｗと平行になり、表示パネルＰがメインアーム３１及びサブアーム３２を介して壁面Ｗに沿う収納状態となる。なお、収納状態でも表示パネルＰを使用してもよい（例えば表示パネルＰがテレビである場合にテレビを見る）のは勿論である。
【００４４】
次に、図８（ａ）に示すように、表示パネルＰを壁面Ｗと平行に該壁面Ｗより突出させた状態とするには、表示パネルＰの左右の両側端を壁面Ｗから等距離となるように位置させればよい。この時の表示パネルＰの左右方向の位置は、メインアーム３１により決まる。これは、メインアーム３１の両方の側端部の被枢支部４は、壁面Ｗ側に固定された枢支部５１と表示パネルＰ側に固定された枢支部５３とにそれぞれ枢支されており、表示パネルＰ（ここでは枢支部５３）の壁面Ｗからの距離に応じて、メインアーム３１が壁面Ｗ側の枢支部５１に枢支された被枢支部４を中心に回動して壁面Ｗとなす角が決まり、表示パネルＰ側の枢支部５３を中心に表示パネルＰが回動して壁面Ｗと平行になるように位置が決まるものである。またこの時サブアーム３２も、表示パネルＰの壁面Ｗに対する位置が決まると、表示パネルＰ側の枢支部５３に枢支された被枢支部４の位置が決まり、これに伴って、壁面Ｗ側の枢支部５２がローラ６１とともにガイドレール６２内を移動して位置が決まる。このためサブアーム３２の壁面Ｗ側の被枢支部４を枢支する枢支部５２の位置は、表示パネルＰの壁面Ｗからの距離に応じて左右方向に異なる。図８（ａ）では、表示パネルＰが壁面Ｗから離れる程、ローラ６１が左側に位置すると共に表示パネルＰが左側に位置する。ガイドレール６２内のストロークの左側の側端部にローラ６１が位置している状態が、表示パネルＰが壁面Ｗから最も離れた状態となる。
【００４５】
次に、表示パネルＰを壁面Ｗに対して傾けるには、例えば図８（ｂ）に示すように、表示パネルＰの右側の側端部を左側の側端部よりも前方に位置させて、表示パネルＰが壁面Ｗに対して３０°をなすように傾けたり、図９に示すように、表示パネルＰの左側の側端部を右側の側端部よりも前方に位置させて、表示パネルＰが壁面Ｗに対して３０°をなすように傾けたりすることができる。いずれの場合も、表示パネルＰ側の枢支部５３は収納状態よりも前方に位置している。またこの状態から、枢支部５３の壁面Ｗからの距離を変えずに表示パネルＰの傾きを変えたり、表示パネルＰを傾けたまま枢支部５３の壁面Ｗからの距離を変えることができ、表示パネルＰの壁面Ｗからの距離と壁面Ｗに対する傾きとを独立して設定することができる。この場合も図８（ａ）の説明で述べたように、枢支部５３の壁面Ｗからの距離が長くなる程、表示パネルＰが左側に位置することとなる。
【００４６】
このように表示パネル支持装置では、表示パネルＰの壁面Ｗからの距離に応じて、表示パネルＰの左右方向の位置が変わる左右の非対称性が生じているが、メインプレート１２及びサブプレート１３のベースプレート１１への固定は横方向に任意となっているため、メインプレート１２及びメインアーム３１、サブプレート１３及びサブアーム３２の左右の位置を逆にすることで、表示パネルＰの壁面Ｗからの距離に応じた表示パネルＰの左右方向の位置の変化が左右逆となり、使い勝手のよい方を選択することができる。
【００４７】
このように本実施形態の表示パネル支持装置にあっては、連結部材３がメインアーム３１（第１の連結部材）とサブアーム３２（第２の連結部材）の二つの部材からなるため、連結部材３が一つの部材からなる従来例のように、表示パネルＰの回動動作が不安定にならないものである。また、連結部材３が二つの部材からなるため、一つの部材にかかる負荷が従来例と比べて半減するため破損する惧れが極めて低い。また、万一いずれか一方の連結部材３が破損しても、他方の連結部材３で表示パネルＰを支持することができて、表示パネルＰが落下する危険性がなく、見た目の安心感も向上する。
【００４８】
また、部屋のコーナー部の一壁面Ｗに、収納状態で表示パネルＰが隣の壁面Ｗにほぼ接するように設置すると、収納状態のままで表示パネルＰを見ようとしても隣の壁面Ｗが近くにあって見難いが、一壁面Ｗから表示パネルＰを突出させた時に前記隣の壁面Ｗから遠ざかる方向に表示パネルＰが移動するようにすれば、隣の壁面Ｗからの距離が長くなって表示パネルＰが見易くなる。
【符号の説明】
【００４９】
１    壁固定部材
１１  ベースプレート
１２  メインプレート
１３  サブプレート
２    パネル固定部
３    連結部材
３１  メインアーム（第１の連結部材）
３２  サブアーム（第２の連結部材）
４    被枢支部
５    枢支部
６    枢支部移動手段
６１  ローラ
６２  ガイドレール
７    配線カバー
７０  連通口
７１  連結部材側カバー
７２  パネル側カバー
７３  壁側カバー
Ｃ    配線
Ｐ    表示パネル
Ｗ    壁面
ＫＰ  化粧パネル
Ｒ    ラック
Ｌ    レバー
【図１】
2010166182.tif 000003
【図２】
2010166182.tif 000004
【図３】
2010166182.tif 000005
【図４】
2010166182.tif 000006
【図５】
2010166182.tif 000007
【図６】
2010166182.tif 000008
【図７】
2010166182.tif 000009
【図８】
2010166182.tif 000010
【図９】
2010166182.tif 000011